(57)【要約】【課題】車両用計器に備えられた音源の故障を運転者に容易に気づかせることができるようにする。【解決手段】車両用計器としてのメータ１は複数の音源２〜５を備えている。音源２、３はスピーカであり、音源３、４はブザーである。ＭＰＵ６は、イグニッションスイッチ２１がオフからオンになった時であるメータ起動時に、メータ１の表示器７にオープニング画像を表示させるとともに、全ての音源２〜５の音を組み合わせたオープニング音を出力させる。オープニング音は、いずれかの音源の音で構成された複数の構成音が所定順序で出力するように構成されている。また、オープニング音には、スピーカ２、３の通常時における使用周波数のうち下限及び上限の周波数の音が構成音として含まれている。【選択図】図１
2018112419.tif 000002
【特許請求の範囲】
【請求項１】
複数の音源（２〜５）を備えた車両用計器（１）の起動時に、前記複数の音源のうちの２つ以上の音源の音を組み合わせた起動時音を出力させることを特徴とする制御装置（６）。
【請求項２】
前記起動時音は、周波数で区別された複数の構成音が所定順序で出力するように構成された音であり、
前記複数の構成音のそれぞれは、前記２つ以上の音源のいずれか１つの音で構成されていることを特徴とする請求項１に記載の制御装置。
【請求項３】
前記複数の構成音には、前記２つ以上の音源に含まれる１つの前記音源（２、３）が、前記起動時の後の通常時に出力する音の周波数のうちの下限及び上限の周波数の音が含まれていることを特徴とする請求項２に記載の制御装置。
【請求項４】
前記２つ以上の音源は前記複数の音源の全てであることを特徴とする請求項１〜３のいずれか１項に記載の制御装置。
【請求項５】
前記車両用計器は、起動時に音以外の演出を行うことを特徴とする請求項１〜４のいずれか１項に記載の制御装置。
【発明の詳細な説明】
【技術分野】
【０００１】
本発明は、車両用計器に備えられた音源を制御する制御装置に関する。
【背景技術】
【０００２】
近年の車両用計器は、ＬＥＤ等のウォーニング点灯時や液晶ディスプレイ等（メッセージやマークの画面表示）によるウォーニング時に、運転者に気が付かせる為にブザーやスピーカを使った音によるウォーニングを行う機能が増加している。なかには重要な機能損失を知らせる為のものもあり、音を運転者に聞かせることは重要になってきている。ここで、特許文献１には、スピーカの断線故障、短絡故障の有無を診断するスピーカ診断装置が開示されている。
【先行技術文献】
【特許文献】
【０００３】
【特許文献１】特許第５５７９０３９号公報
【発明の概要】
【発明が解決しようとする課題】
【０００４】
上記した背景の中、ブザー、スピーカといった音源の回路的な断線やショートを検出して、検出した故障を、インジケータ点灯やメッセージ表示により運転者に知らせる方法が考えられる。
【０００５】
しかしその方法の場合、断線やショートを検出するシステム（回路やソフト制御）にコストがかかる。また、スピーカのコーンの破れやブザーの放口穴のふさがりなど、回路的な故障でないスピーカやブザーそのものの故障は、検出できない場合が多い。
【０００６】
回路上の故障だけではなくて、音源の音を運転者が聞こえるかどうかが故障かどうかの分かれ目であり、回路システム的な故障検知では、コストをかけても完全対策にはならない。
【０００７】
本発明は上記事情に鑑みてなされたものであり、運転者に音源の故障を容易に気づかせることができる発明を提供することを課題とする。
【課題を解決するための手段】
【０００８】
上記課題を解決するために、本発明の制御装置（６）は、複数の音源（２〜５）を備えた車両用計器（１）の起動時に、前記複数の音源のうちの２つ以上の音源の音を組み合わせた起動時音を出力させることを特徴とする。
【０００９】
本発明によれば、車両用計器の起動時に、２つ以上の音源の音を組み合わせた起動時音を出力させるようにしたので、その２つ以上の音源の一部又は全部が故障した場合には、いつもと異なる起動時音を運転者に聞かせることになる。これにより、運転者に、音源が故障していることを容易に気づかせることができる。
【図面の簡単な説明】
【００１０】
【図１】メータの電気的構成を示したブロック図である。
【図２】ＭＰＵが実行する処理のフローチャートである。
【図３】メータ起動時に表示器に表示されるオープニング画像及び音源から出力されるオープニング音の構成音の時間的な推移を示した図である。
【図４】各音源ごとに、通常時における使用周波数、オープニング演出時に出力する音の周波数及びその周波数の擬音を例示した図である。
【発明を実施するための形態】
【００１１】
以下、本発明の実施形態を図面を参照しながら説明する。図１に示す車両用計器としてのメータ１は、車両の運転席前方に配置されたインストルメントパネルにおいて、運転席の方に向けて表示を行うように搭載されている。メータ１は、運転席に対向するように前面（図示外）を有しており、この前面に、車両の速度、エンジン回転数など各種車両情報を表示したり、各種警告（ウォーニング）を行ったりする。車両情報の表示は、例えば、前面に表示される数値及び目盛から構成された指標部と、指標部のうち車両情報の現在値を示す部分を指示する指針とを備えた指針メータにより行われ、又は図１の表示器７による画像表示により行われる。また、警告は、例えば、前面に設けられた光透過可能なインジケータと、そのインジケータの背後から光を供給するＬＥＤとにより、つまりインジケータの点灯により行われ、又は表示器７による画像表示により行われ、又は音源２〜５による音により行われる。
【００１２】
図１に示すように、メータ１は音により各種報知を行う４つの音源２〜５を備えている。このうちの２つの音源２、３は、音声や音楽等の音の電気信号が入力されて、その電気信号を物理振動に代えて、この物理振動により音声や音楽等の音波を発生させるスピーカである。スピーカ２、３は、ブザー音（例えばピーピーピー・・・）だけでなく、音声（メッセージ）や複数の楽器音が混在した音楽も出力可能である。スピーカ２、３は、任意の周波数の音を出力可能であるが、後述のオープニング演出後の通常時に使用する周波数範囲は例えば０．５ｋＨｚ〜１５ｋＨｚとすることができる。
【００１３】
残り２つの音源４、５は、電圧を電磁石に加えて鉄片を振動させることにより、単純なブザー音（例えばピーピーピー・・・）を出力するブザーである。ブザー４、５は、予め定められた１つ又は複数の周波数の音しか出力することができない。本実施形態では、ブザー４、５は互いに異なる周波数の音を出力するように構成されており、具体的には例えば一方のブザー４は２ｋＨｚの音を出力し、他方のブザー５は４ｋＨｚの音を出力する。なお、ブザー４、５の音は、主の周波数成分と、それとは異なる周波数成分とが混在する場合があるが、この場合であっても、主の周波数成分の音が鳴っているとユーザに感じさせることができる程度に、主の周波数成分に比べて他の周波数成分が小さい。また、ブザー４、５の種類によっては、ブザー４、５に入力するＰＷＭ信号（ＰＷＭ：Pulse Width Modulation）の周波数によって、ブザー４、５から出力する音の周波数が変化するものもある。
【００１４】
ブザー４、５は、プラス端子、マイナス端子の２つの端子を有しており、これら２つの端子間に電圧が印加されることで音を出力する。ブザー４、５のプラス端子には電源が接続されている。ブザー４、５のマイナス端子には、スイッチング素子１１を介してグランドに接続されている。
【００１５】
音源２〜５は、報知を行う場面に応じて使い分けられる。例えば、音声として報知を行う場合にはスピーカ２、３が用いられ、ブザー音で報知を行う場合にはブザー４、５が用いられる。また、例えばブザー４、５のうち低音で報知を行う場合にはブザー４が用いられ、高音で報知を行う場合にはブザー５が用いられる。また、例えば、音源２〜５の一部は、運転者のみに音を聞かせたい場面に用いられる音源（以下、運転者用音源という）であり、残りの一部は、運転者以外の乗員にも音を聞かせて良い場面に用いられる音源である。運転者用音源は、例えば、運転者が位置する空間のみに音が届くように、音圧や音の指向性が調整された音源である。
【００１６】
これら音源２〜５は、メータ１の制御部であるＭＰＵ（Micro Processing Unit）６に制御可能に接続されている。詳しくは、メータ１は、メータ１を構成する各種電気部品を実装するプリント基板１４を備えている。プリント基板１４は、メータ１の前面の背後に配置されるケース（図示外）内に配置されている。ＭＰＵ６は、プリント基板１４に実装されている。音源２〜５は、プリント基板１４に実装され、又はプリント基板１４外においてプリント基板１４に配線２５（図１参照）で接続されている。図１では、ブザー４、５がプリント基板１４に実装され、スピーカ２、３がプリント基板１４外に設けられた例を示している。この場合、スピーカ２、３は、例えば、メータ１の最も背後側に位置するロアケース（図示外）の背面において外部に露出した状態で設けられ、又はメータ１から離れた位置（例えば車室内の窓柱（ピラー）など）に設けられる。スピーカ２、３をプリント基板１４外（言い換えるとメータ１のケースの外側）に設けることで、スピーカ２、３の音を乗員に聞かせやすくできる。
【００１７】
スピーカ２、３の入力端子に配線２５の一端が接続され、配線２５の他端がメータ１の端子２６に接続されている。端子２６は、後述のＩＣ（Integrated Circuit）９、１０を介してＭＰＵ６に接続されている。
【００１８】
また、ＭＰＵ６とスピーカ２、３の間には、音声ＩＣ９と、ＳｐｋＡｍｐＩＣ１０（以下、アンプＩＣという）とが設けられている。これらＩＣ９、１０は基板１４に実装されている。音声ＩＣ９は、ＭＰＵ６とアンプＩＣ１０の間で両者６、１０に電気的に接続された形態で設けられている。音声ＩＣ９は、スピーカ２、３毎に設けられている。音声ＩＣ９は、ＭＰＵ６からの指令に基づいて、スピーカ２、３に出力させる音信号を生成して、その音信号をアンプＩＣ１０に出力する回路である。
【００１９】
アンプＩＣ１０は、音声ＩＣ９とスピーカ２、３の間で両者９、２、３に電気的に接続された形態で設けられている。アンプＩＣ１０は、音声ＩＣ９からの音信号が入力されて、その音信号を増幅してスピーカ２、３に出力する回路である。スピーカ２、３は、アンプＩＣ１０からの音信号が入力されて、その音信号に応じた音を出力する。
【００２０】
一方、ブザー４、５は、スイッチング素子１１を介してＭＰＵ６に接続されている。詳しくは、ブザー４、５のマイナス端子とグランドの間には、スイッチング素子１１が設けられている。スイッチング素子１１は、ＭＯＳＦＥＴ等の半導体素子であり、ＭＰＵ６に接続される第１端子１１ａと、電源に接続される第２端子１１ｂと、グランドに接続される第３端子１１ｃとを有している。スイッチング素子１１は、第１端子１１ａに入力される信号によって、第２、第３端子１１ｂ、１１ｃ間を導通と遮断の間で切り替える。
【００２１】
第１端子１１ａには例えばＰＷＭ信号が入力される。スイッチング素子１１は、第１端子１１ａに入力されたＰＷＭ信号の信号レベルがＨレベルのときに第２、第３端子１１ｂ、１１ｃ間が導通する。そして、ブザー４、５は、スイッチング素子１１の導通時に音を出力する。
【００２２】
メータ１は、上記の音源２〜５、ＩＣ９、１０、スイッチング素子１１の他に、表示器７、表示ＩＣ８、通信ＩＣ１２、電源ＩＣ１３及びＭＰＵ６を備えている。これら７、８、１２、１３、６は基板１４に実装されている。表示器７は、液晶ディスプレイ、有機ＥＬディスプレイ等の各種画像を表示可能な装置である。表示器７は、例えばメータ１の前面において、車速を表示する指針メータと、エンジン回転数を表示する指針メータの間に設けられる。表示器７は、メータ１の起動後の通常時には、例えば指針メータで表示する車両情報（車速、エンジン回転数等）以外の車両情報（例えば、走行距離、燃費など）を表示したり、警告すべき事象が発生した場合には警告メッセージを表示したりする。また、表示器７は、メータ１の起動時には、通常時と異なる画像、すなわちオープニング演出のための画像（以下、オープニング画像という）を表示する。オープニング画像は、例えば車名や、メータ１が搭載された車両の外観などを示した画像とすることができる。
【００２３】
表示ＩＣ８は、ＭＰＵ６と表示器７の間で両者６、７に電気的に接続された形態で設けられている。表示ＩＣ８は、表示器７に表示させる各種画像を記憶したメモリを備えている。表示ＩＣ８は、ＭＰＵ６の指令に基づいて、メモリに記憶された画像のいずれかを読み出し、読み出した画像を表示するよう表示器７を制御する回路である。
【００２４】
通信ＩＣ１２は、外部の車載装置又はセンサから車両情報が入力されるメータ１の端子２７と、ＭＰＵ６の間で両者２７、６に電気的に接続された形態で設けられている。通信ＩＣ１２は、端子２７に入力された車両情報を取得して、この情報をＭＰＵ６に送信する回路である。端子２７に入力される車両情報は、メータ１で表示が行われる車両情報（車速、エンジン回転数等）であったり、所定の警告事象が発生した時のみにインジケータ点灯、表示器７又は音源２〜５により警告（ウォーニング）が行われる、その所定の警告事象を判定するための車両情報であったりする。所定の警告事象は、例えばシートベルト未装着の状態で車両が走行している事である。このシートベルト未装着での走行を警告するために、端子２７には、例えばシートベルトの装着の有無を示した情報と、車速とが入力される。
【００２５】
電源ＩＣ１３は、車両のバッテリ２０の電圧（例えば１２Ｖ）が入力される端子２８とＭＰＵ６の間で両者２８、６に電気的に接続された形態で設けられている。電源ＩＣ１３は、端子２８に入力されたバッテリ電圧を、ＭＰＵ６の動作電圧（例えば５Ｖ）に変換して、その動作電圧をＭＰＵ６に出力する回路である。また、電源ＩＣ１３を介してバッテリ２０とＭＰＵ６とが直接に接続される＋Ｂ電源と、電源ＩＣ１３に加えてイグニッションスイッチ２１を介してバッテリ２０とＭＰＵ６とが接続されるＩＧ電源とがある。
【００２６】
イグニッションスイッチ２１は、運転者の操作に基づいてオンオフが切り替わり、オンになるとエンジンが始動し、オフになるとエンジンが停止するスイッチである。＋Ｂ電源は、イグニッションスイッチ２１のオンオフにかかわらず電源供給が継続する電源である。ＩＧ電源は、イグニッションスイッチ２１のオン時（つまり車両使用時、エンジン作動時）に供給が行われ、イグニッションスイッチ２１のオフ時（つまり車両不使用時、エンジン停止時）には供給が停止する電源である。ＭＰＵ６には、＋Ｂ電源とＩＧ電源の両方が接続されている。
【００２７】
さらに、メータ１は、点灯可能な複数のインジケータを備えている。これらインジケータには、所定の警告事象（例えば、車両に備えられた各種機能（例えばアンチロックブレーキシステムの機能など）の異常、シートベルト未装着など）の発生により点灯を行う警告インジケータと、車両に備えられた装置、システム、機能等の作動時に点灯を行う作動インジケータ（例えば、ヘッドライトの作動により点灯を行うインジケータなど）とが含まれている。メータ１は、各インジケータに光を供給するＬＥＤ（図示外）を備えている。また、メータ１は、指針メータにおける指針を駆動するステッパモータ（図示外）を備えている。これらＬＥＤ、ステッパモータは基板１４に実装されている。
【００２８】
ＭＰＵ６は、メータ１の全体制御を司る部分であり、具体的には例えば通常時には通信ＩＣ１２から入力された車速、エンジン回転数等の車両情報を指針が指示するようにステッパモータ（図示外）を制御したり、表示ＩＣ８に指令をして表示器７に車両情報を表示させたりする。また、ＭＰＵ６は、通常時には、通信ＩＣ１２から入力される車両情報に基づいて、所定の事象が発生したか否かを判定し、事象が発生した場合には、発生した事象に対応するインジケータのＬＥＤを点灯させたり、表示器７に警告等を促すメッセージ（例えば、シートベルト未装着で走行している場合には「シートベルトをしてください」、故障が発生した場合には「○○に故障が発生しました」など）を表示させたりする。
【００２９】
また、ＭＰＵ６は、例えば、所定の事象が発生した場合には、インジケータの点灯や表示器７の警告メッセージに加えて又は代えて、音源２〜５により音による警告を行う。この場合、ＭＰＵ６は、発生した事象に基づいて、音源２〜５のうちどの音源で警告を行うのかを判断する。そして、ＭＰＵ６は、スピーカ２、３で警告を行う場合には、音声ＩＣ９、１０に、スピーカ２、３で警告を行うよう指令するとともに、スピーカ２、３が出力する音の内容を特定可能な信号を出力する。音声ＩＣ９、１０は、ＭＰＵ６からの信号に基づいて、音信号を生成し、その音信号をアンプＩＣ１０を介してスピーカ２、３に出力することで、スピーカ２、３に警告音（例えば、「シートベルトを装着してください」、「○○に故障が発生しました」等の音声や、ピーピーピー等のブザー音）を出力させる。
【００３０】
ＭＰＵ６は、ブザー４、５で警告を行う場合には、スイッチング素子１１の第１端子１１ａにＰＷＭ信号を出力することで、ブザー４、５にピーピーピー等の警告音を出力させる。このとき、ＰＷＭ信号のデューティ比を変えることで、警告音を、無音期間が無い連続音としたり、無音期間が存在する断続音としたりできる。また、ＰＷＭ信号のデューティ比によって、断続音における音が鳴る周期を変更できる。
【００３１】
さらに、ＭＰＵ６は、本発明の制御装置に相当し、メータ１の起動時に、表示器７及び音源２〜５によるオープニング演出を行う。具体的には、ＭＰＵ６は、図２の処理を実行する。図２の処理では、先ず、メータ１の電源がオンになったか否かを判断する（Ｓ１）。具体的には、ＭＰＵ６は、ＭＰＵ６へのＩＧ電源の供給の有無に基づいて、車両のエンジンが始動されたか否かを、メータ１の電源がオンになったか否かとして判断する。つまり、ＭＰＵ６は、ＩＧ電源がオフからオンとなった場合に、車両のエンジン始動と判断、換言するとメータ１の電源がオンとなったと判断する。一方、ＭＰＵ６は、ＩＧ電源がオフの場合には、メータ１の電源がオフであると判断する。また、ＭＰＵ６は、ＩＧ電源がオンで継続中の場合には、メータ１の起動後の通常時であると判断する。
【００３２】
ＭＰＵ６は、メータ１の電源がオフの場合には（Ｓ１：Ｎｏ）、オンになるまで待機する。一方、ＭＰＵ６は、メータ１の電源がオフからオンとなった場合には（Ｓ１：Ｙｅｓ）、メータ１の起動時のオープニング演出として、図３に示すように表示器７に上記のオープニング画像を表示させる（Ｓ２）。オープニング画像の表示は、電源オンから所定時間（例えば数秒間）、行われる。図３では、車名を「ＡＢＣＤＥ」として、その車名「ＡＢＣＤＥ」を表示器７に表示するとともに、時間経過に伴い次第に「ＡＢＣＤＥ」の表示が薄くなる例を示している。
【００３３】
ＭＰＵ６は、Ｓ２のオープニング画像の表示に同期させて、全ての音源２〜５の音を組み合わせたオープニング音（起動時音）を出力させる（Ｓ３）。具体的には、図４に示すように、スピーカ２、３のうち一方を第１スピーカ、他方を第２スピーカとし、ブザー４、５のうち一方を第１ブザー、他方を第２ブザーとする。そして、第１スピーカの通常時に使用（出力）する音の周波数うちの下限の周波数の音をＡ、上限の周波数の音をＢとする。図４の例では、第１スピーカの通常時における使用周波数が０．５ｋＨｚ〜１５ｋＨｚであるので、音Ａの周波数は０．５ｋＨｚであり、音Ｂの周波数は１５ｋＨｚである。
【００３４】
また、第２スピーカの通常時に使用（出力）する音の周波数うちの下限の周波数の音をＣ、上限の周波数の音をＤとする。図４の例では、第２スピーカの通常時における使用周波数が０．５ｋＨｚ〜１５ｋＨｚであるので、音Ｃの周波数は０．５ｋＨｚであり、音Ｄの周波数は１５ｋＨｚである。
【００３５】
また、第１ブザーの通常時に使用（出力）する周波数の音をＥとする。図４の例では、第１ブザーの通常時における使用周波数が２ｋＨｚであるので、音Ｅの周波数は２ｋＨｚである。
【００３６】
また、第２ブザーの通常時に使用（出力）する周波数の音をＦとする。図４の例では、第２ブザーの通常時における使用周波数が４ｋＨｚであるので、音Ｅの周波数は４ｋＨｚである。
【００３７】
なお、図４の右欄には、各音Ａ〜Ｆが、周波数が異なることで異なる音色の音であることを示すために、周波数別の擬音を示している。図４の擬音は、実際の擬音ではなく、図２のＳ３、図３においてオープニング音を表現するために便宜上付与したものである。
【００３８】
そして、これら音Ａ〜Ｆを、オープニング音の各時点の音を構成する構成音とする。つまり、オープニング音は、周波数で区別された複数の構成音Ａ〜Ｆが所定順序で出力するように構成された音である。このとき、各時点で１つの構成音のみが出力し、つまり複数の構成音が同時に出力しないように設定される。また、上記所定順序は、オープニング時の演出にふさわしいメロディを奏でるように適宜に設定される。図３では、オープニング音として、Ａ、Ｅ、Ｆ、Ｄ、Ｂ、Ｅ、Ｃの順に出力する例が示されている。図３の例における構成音Ａ〜Ｆの出力順は、オープニング音の開始から途中までは段階的に周波数が増加していき、途中からは段階的に周波数が減少するように定められている。
【００３９】
このように、オープニング音は、各時点において、音源２〜５のうちいずれか１つの音源のみが音を出力するとともに、各音源２〜５の音が少なくとも１回は出力するように構成されている。
【００４０】
ＭＰＵ６は、自身のメモリに、オープニング音の情報（各構成音の周波数及び出力順）を所持しており、この情報に基づいて、各音源２〜５に、所定の出力順にしたがったタイミングで所定の周波数の構成音を出力させる。
【００４１】
ＭＰＵ６は、Ｓ２、Ｓ３のオープニング演出を行った後、通常のメータ制御（車両情報を表示したり、所定の事象が発生したときにはインジケータ、表示器７、又は音源２〜５によるウォーニングを行ったりする制御）に移行する（Ｓ４）。
【００４２】
このように、本実施形態では、メータ１の起動時（車両の始動時）に、オープニング画像の表示に加えてオープニング音が出力するので、起動時の演出効果を高めることができる。また、オープニング音は、全ての音源２〜５の音を組み合わせて構成されているので、一部又は全部の音源が故障した場合には、いつもと異なるオープニング音を運転者に聞かせることができる。これにより、スピーカ２、３のコーンの破れやブザー４、５の放口穴のふさがりなど、回路的な故障でない音源２〜５そのものの故障であっても、運転者に、音源が故障していることを容易に気づかせることができる。また、音源２〜５の回路的な故障（断線やショートなど）を検出するシステムを設けなくても、運転者に、音源が故障していることを気づかせることができる。
【００４３】
運転者は、オープニング音がいつもと異なると判断した場合には、例えばディーラで音源を修理又は交換してもらうことで、音源が故障した状態で車両走行が行われることを抑制できる。また、車両のマニュアルに、オープニング音がいつもと異なる場合には、ディーラにご相談ください等の記載を入れることで、より一層、音源が故障した状態で車両走行が行われてしまうことを抑制できる。
【００４４】
さらに、オープニング音は、全ての音源２〜５の音を含むとともに、各時点においてはいずれか１つの音源の音のみから構成されているので、音源２〜５のうち一部が故障した場合には、オープニング音の一部が無音又はいつもと異なる音圧や音色となる。これによって、いずれの音源２〜５が故障した場合であっても、その故障を運転者に容易に気づかせることができる。
【００４５】
また、オープニング音には、スピーカ２、３の通常時の使用周波数における下限及び上限の周波数の音が含まれているので、スピーカ２、３が故障していた場合には、高音が聞きやすい運転者にも、低音が聞きやすい運転者にも、オープニング音がいつもと異なることを気づかせやすくできる。
【００４６】
また、スピーカ２、３の異常の中には、一部の周波数の音のみが聞こえにくくなる異常が存在するが、オープニング音に、スピーカ２、３の下限及び上限の周波数の音が含まれることで、スピーカ２、３の高音側の音は正常であるが、低音側の音に異常がある場合、スピーカ２、３の低音側の音は正常であるが、高音側の音に異常がある場合、スピーカ２、３の低音側、高音側の両方に異常がある場合のいずれであっても、運転者に音源２〜５の異常を気づかせやすくできる。また、オープニング音に、スピーカ２、３の下限及び上限の周波数の音が含まれることで、オープニング音がいつもと異なる場合には、スピーカ２、３の下限の周波数と上限の周波数の間の周波数（以下、中間周波数という）の音も異常である可能性があるが、ディーラ等に持ち込むことで、この中間周波数の音の異常も早期に発見できる。
【００４７】
また、オープニング音は、オープニング画像の表示と同期して出力するので、運転者にオープニング音をオープニング演出の一つとして把握させることができ、運転者に違和感を与えることを抑制できる。
【００４８】
なお、本発明は上記実施形態に限定されるものではなく特許請求の範囲の記載を逸脱しない限度で種々の変更が可能である。例えば上記実施形態では、オープニング音以外のオープニング演出として、表示器７にオープニング画像を表示した例を示したが、これに代えて又は加えて、他の演出を実行しても良い。他の演出としては、例えば、指針メータの指針を指標部の全体に亘って回転させる動作を行う。
【００４９】
また、画像を表示する表示器が無いメータの場合には、オープニング音のみのオープニング演出を行っても良い。
【００５０】
また、スピーカのように任意の周波数の音を出力可能な音源の場合には、オープニング音の構成音として、上限及び下限の周波数の音に加えて又は代えて、他の周波数の音を採用しても良い。
【００５１】
また、出力する音の周波数を変更可能なブザーの場合には、各周波数の音をオープニング音の構成音に採用しても良い。
【００５２】
また、音源の個数は複数であれば何個でも良い。また、上記実施形態では、異なる種類の音源（スピーカ、ブザー）がメータに設けられた例を説明したが、スピーカのみ又はブザーのみなど、同一種類の音源しかメータに設けられていない場合にも本発明を適用できる。
【００５３】
また、上記実施形態では、メータに設けられた全ての音源を用いてオープニング音を構成した例を説明したが、２つ以上であれば一部の音源を用いてオープニング音を構成しても良い。これによれば、オープニング音に用いる音源を一部に限定することで、オープニング音としてより自然な音を作成できる場合がある。
【符号の説明】
【００５４】
１  メータ（車両用計器）
２、３  スピーカ（音源）
４、５  ブザー（音源）
６  ＭＰＵ（制御装置）
７  表示器
８  表示ＩＣ
９  音声ＩＣ
１０  アンプＩＣ
１１  スイッチング素子
【図１】
2018112419.tif 000003
【図２】
2018112419.tif 000004
【図３】
2018112419.tif 000005
【図４】
2018112419.tif 000006